(57)【要約】【課題】  電荷転送効率の向上を可能にする電荷転送素子を提供する。また、電荷転送効率の向上や読み出し電圧の抑制を可能にする固体撮像素子を提供する。【解決手段】  複数の転送電極により構成され、電荷が転送されるものであり、各転送電極において、互いに隣接する転送電極同士の電荷転送に寄与する実効的領域の境界の長さが、信号電荷の転送方向に垂直な方向の実効的領域の幅よりも長くなっている電荷転送素子を構成する。また、受光部２と、この受光部２の列の一側に対応して設けられた電荷転送部とを備え、電荷転送部が複数の転送電極８Ａ，８Ｂ，８Ｃ，８Ｄにより構成され、これら複数の転送電極８Ａ，８Ｂ，８Ｃ，８Ｄのうち、少なくとも信号電荷を読み出すための読み出し電圧が印加される転送電極８Ｂにおいて、信号電荷の転送に寄与する実効的領域は、実効的領域の読み出し側の幅が、実効的領域の反対側の幅よりも広くなっている固体撮像素子１を構成する。【選択図】        図１
2005072471.tif 000002
【特許請求の範囲】
【請求項１】
複数の転送電極により構成され、電荷が転送される電荷転送素子であって、
各前記転送電極において、互いに隣接する転送電極同士の電荷転送に寄与する実効的領域の境界の長さが、前記電荷の転送方向に垂直な方向の前記実効的領域の幅よりも長くなっている
ことを特徴とする電荷転送素子。
【請求項２】
各前記転送電極において、互いに隣接する転送電極同士の前記実効的領域の境界が、前記電荷の転送方向に対して斜めに形成されていることを特徴とする請求項１に記載の電荷転送素子。
【請求項３】
受光部と、
前記受光部の一側に対応して設けられ、前記受光部で受光蓄積された信号電荷が読み出されて転送される電荷転送部とを備え、
前記電荷転送部が複数の転送電極により構成され、
前記複数の転送電極のうち、少なくとも前記信号電荷を読み出すための読み出し電圧が印加される転送電極において、前記信号電荷の転送に寄与する実効的領域は、前記信号電荷を読み出す側の幅が、その反対側の幅よりも広くなっている
ことを特徴とする固体撮像素子。
【請求項４】
各前記転送電極において、互いに隣接する転送電極同士の前記実効的領域の境界の長さが、前記信号電荷の転送方向に垂直な方向の前記実効的領域の幅よりも長くなっていることを特徴とする請求項３に記載の固体撮像素子。
【請求項５】
各前記転送電極において、互いに隣接する転送電極同士の前記実効的領域の境界が、前記信号電荷の転送方向に対して斜めに形成されていることを特徴とする請求項４に記載の固体撮像素子。
【発明の詳細な説明】
【技術分野】
【０００１】
本発明は、電荷を転送する電荷転送素子に係わる。また、本発明は、信号電荷を転送する電荷転送部を有して成る固体撮像素子に係わる。
【背景技術】
【０００２】
全画素読み出し方式のＣＣＤ固体撮像素子として、例えば、１画素当たり４枚の転送電極を配置して、４相駆動の３層の転送電極により垂直転送レジスタを構成することが提案されている（例えば、特許文献１等参照）。
【０００３】
この４相駆動の３層の転送電極を有するＣＣＤ固体撮像素子の概略構成図（要部即ち受光部と垂直転送部の平面図）を図６に示す。
このＣＣＤ固体撮像素子２１は、マトリクス状に配列された画素となる複数の光電変換を行う受光部２２と各受光部列に対応してその一側に形成されたＣＣＤ構造の複数の垂直転送レジスタとから撮像領域が構成されている。
【０００４】
また、図６のＡ−Ａにおける断面図を図７Ａに示し、図６のＢ−Ｂにおける断面図を図７Ｂに示す。
垂直転送レジスタは、シリコン半導体基体２６の転送チャネル領域（図６の２３）上に、ゲート絶縁膜２７を介して３層構造の転送電極、即ち、第１層の多結晶シリコン層からなる第１転送電極２８Ａ及び第３転送電極２８Ｃと、第２層の多結晶シリコン層からなる第４転送電極２８Ｄと、第３層の多結晶シリコン層からなる第２転送電極２８Ｂが、電荷転送方向（図６の上下方向）に沿って繰り返し配列されて構成されている。
【０００５】
第１転送電極２８Ａには第１相の垂直駆動パルスφＶ１が印加され、第２転送電極２８Ｂには第２相の垂直転送パルスφＶ２が印加され、第３転送電極２８Ｃには第３相の垂直駆動パルスφＶ３が印加され、第４転送電極２８Ｄには第４相の垂直転送パルスφＶ４が印加される。これにより、垂直転送レジスタにおいて、４相駆動による信号電荷の転送を行うことができる。
【０００６】
そして、図６の固体撮像素子２１の垂直転送レジスタの各転送電極について、その信号電荷の転送に寄与する実効的領域の平面図を図８に示す。
図８中２４は、単位画素の大きさを示している。図８に示すように、各単位画素２４に４枚の転送電極２８Ａ，２８Ｂ，２８Ｃ，２８Ｄが設けられている。
また、各転送電極２８Ａ，２８Ｂ，２８Ｃ，２８Ｄの実効的領域が、ほぼ同じ面積の矩形状になっている。
特に、第２転送電極２８Ｂにおいては、その垂直駆動パルスφＶ２が読み出しパルスを含むことにより、図８中矢印で示すように、受光部２２に蓄積された信号電荷ｅ−が読み出される。
【０００７】
このように、各単位画素２４に４枚の転送電極２８Ａ，２８Ｂ，２８Ｃ，２８Ｄを配置して４相駆動により信号電荷が転送される構成としたことにより、全画素読み出しを行うことができる。
【特許文献１】特開２０００−２３２２１７号公報
【発明の開示】
【発明が解決しようとする課題】
【０００８】
ところで、ＣＣＤ固体撮像素子において、多画素化や小型化等のために、さらなる画素の微細化が求められてきている。
そして、今後、画素の微細化に伴い、垂直転送レジスタの転送効率の低下や信号電荷の読み出し電圧の上昇が問題となると考えられる。
特に、画素を微細化しても感度が低下しないようにするために、受光部の面積比を増やすと、それに応じて垂直転送レジスタの幅がより縮小されるため、垂直転送レジスタの各転送電極が信号電荷の転送方向に細長くなることから、転送効率の悪化が懸念される。
【０００９】
例えば、図６〜図８に示したＣＣＤ固体撮像素子２１では、垂直転送レジスタの幅が縮小されることにより、各転送電極２８Ａ，２８Ｂ，２８Ｃ，２８Ｄの実効的領域が縦長になって、幅が狭くなり、転送効率が悪化することが懸念される。
また、画素の微細化により、受光部２２から信号電荷を読み出す部分の幅（図８のＬ）も縮小されることになり、読み出し電圧を上げないと、受光部２２に蓄積された信号電荷を充分に読み出すことが難しくなる。
【００１０】
また、上述したＣＣＤ固体撮像素子の垂直転送レジスタに限らず、固体撮像素子の水平転送レジスタやその他の構成の電荷転送部、並びに遅延素子等において、電荷転送部を構成する電荷転送素子の微細化に伴って、電荷の転送効率の低下が問題となる。
【００１１】
上述した問題の解決のために、本発明においては、電荷転送効率の向上を可能にする電荷転送素子を提供するものである。また、電荷転送効率の向上や読み出し電圧の抑制を可能にする固体撮像素子を提供するものである。
【課題を解決するための手段】
【００１２】
本発明の電荷転送素子は、複数の転送電極により構成され、電荷が転送されるものであり、各転送電極において、互いに隣接する転送電極同士の電荷転送に寄与する実効的領域の境界の長さが、電荷の転送方向に垂直な方向の実効的領域の幅よりも長くなっているものである。
【００１３】
上述の本発明の電荷転送素子の構成によれば、各転送電極において、互いに隣接する転送電極同士の電荷転送に寄与する実効的領域の境界の長さが、電荷の転送方向に垂直な方向の実効的領域の幅よりも長くなっていることにより、通常の実効的領域の境界が転送方向に略垂直である構成と比較して、電荷の転送の間口が広くなる。これにより、同じ電界（転送電極の電位差）のもとで、電荷の転送効率を向上することが可能になる。
【００１４】
本発明の固体撮像素子は、受光部と、この受光部の列の一側に対応して設けられ受光部で受光蓄積された信号電荷が読み出されて転送される電荷転送部とを備え、電荷転送部が複数の転送電極により構成され、これら複数の転送電極のうち、少なくとも信号電荷を読み出すための読み出し電圧が印加される転送電極において、信号電荷の転送に寄与する実効的領域は、信号電荷を読み出す側の幅が、その反対側の幅よりも広くなっているものである。
【００１５】
上述の本発明の固体撮像素子の構成によれば、複数の転送電極のうち、少なくとも信号電荷を読み出すための読み出し電圧が印加される転送電極において、信号電荷の転送に寄与する実効的領域は、信号電荷を読み出す側の幅が、その反対側の幅よりも広くなっていることにより、信号電荷が読み出される領域の開口幅を広く確保することができる。これにより、信号電荷の読み出しが容易になるため、読み出し電圧を低減しても信号電荷を充分に読み出すことが可能になる。
そして、転送電極の信号電荷の転送に寄与する実効的領域の面積をあまり増やさなくても開口幅を広く確保することができるため、他の転送電極の実効的領域の面積を縮小する必要がない。
【００１６】
また、上述の本発明の固体撮像素子において、互いに隣接する転送電極同士の前記実効的領域の境界の長さが、前記信号電荷の転送方向に垂直な方向の前記実効的領域の幅よりも長くした構成とすることも可能である。
このように構成することにより、通常の実効的領域の境界が転送方向に略垂直である構成と比較して、信号電荷の転送の間口が広くなるため、同じ電界（転送電極の電位差）のもとで、電荷転送部における信号電荷の転送効率を向上することが可能になる。
【発明の効果】
【００１７】
上述の本発明の電荷転送素子によれば、同じ電界のもとで従来よりも電荷の転送効率を向上することができるため、素子の微細化が進むことにより転送電極の実効的領域が細長くなって電荷の転送効率が低下することを、抑制することが可能になる。
従って、素子の微細化と高い転送効率とを共に実現することが可能になる。
【００１８】
上述の本発明の固体撮像素子によれば、読み出し電圧を低減することができるため、消費電力を低減することができる。
また、画素の微細化が進むことによる読み出し電圧の増大を、抑制することが可能になる。
【００１９】
また、上述の本発明の固体撮像素子において、互いに隣接する転送電極同士の前記実効的領域の境界の長さが、前記信号電荷の転送方向に垂直な方向の前記実効的領域の幅よりも長くした構成としたときには、同じ電界のもとで従来よりも信号電荷の転送効率を向上することができ、固体撮像素子の画素の微細化が進むことにより電荷転送部における信号電荷の転送効率が低下することを、抑制することが可能になる。
【００２０】
即ち、本発明により、固体撮像素子の画素の微細化を図った場合にも、読み出し電圧や信号電荷の転送効率等の特性を充分に確保することが可能になり、画素を微細化して固体撮像素子の多画素化や小型化を図ることを容易に実現することが可能になる。
【発明を実施するための最良の形態】
【００２１】
図１は、本発明の一実施の形態として、固体撮像素子の概略構成図（要部の拡大平面図）を示す。本実施の形態は、本発明をインターライントランスファ（ＩＴ）型のＣＣＤ固体撮像素子に適用したものである。
また、図１のＡ−Ａにおける断面図を図２Ａに示し、図１のＢ−Ｂにおける断面図を図２Ｂに示し、図１のＣ−Ｃにおける断面図を図２Ｃに示す。
【００２２】
この固体撮像素子１は、マトリクス状に配列された画素となる複数の光電変換を行う受光部２と、各受光部列に対応してその一側に形成されたＣＣＤ構造の複数の垂直転送レジスタとから撮像領域が構成されている。また、図示しないが、垂直転送レジスタから転送された信号電荷を出力部に転送するためのＣＣＤ構造の水平転送レジスタが設けられている。
【００２３】
垂直転送レジスタは、図２Ａ〜図２Ｃに示すように、シリコン半導体基体６の転送チャネル領域（図１の３）上に、ゲート絶縁膜７を介して３層構造の転送電極、即ち第１層の多結晶シリコン層からなる第１転送電極８Ａ及び第３転送電極８Ｃと、第２層の多結晶シリコン層からなる第４転送電極８Ｄと、第３層の多結晶シリコン層からなる第２転送電極８Ｂが、電荷転送方向（図１の上下方向）に沿って繰り返し配列されて構成されている。ゲート絶縁膜７は、単層膜、又は多層膜で形成可能であり、例えば酸化シリコン膜と窒化シリコン膜と酸化シリコン膜の３層構造で形成することが可能である。各層の多結晶シリコン層は、層間絶縁膜９を介して積層されていることにより、互いに絶縁されている。
【００２４】
これらの転送電極８Ａ，８Ｂ，８Ｃ，８Ｄは、それぞれ複数列の垂直転送レジスタに対して共通となるように、垂直方向に隣り合う受光部２間を横切って帯状に形成されている。
また、１画素（即ち１つの受光部２）当たり、４つの転送電極８Ａ，８Ｂ，８Ｃ，８Ｄが設けられている。
【００２５】
そして、図２Ａ及び図２Ｂに示すように、４つの転送電極８Ａ，８Ｂ，８Ｃ，８Ｄのうち、１つ置きの第１転送電極８Ａ及び第３転送電極８Ｃが第１層の多結晶シリコン層からなり、一方の１つ置きの第１層の多結晶シリコン層からなる電極間、即ち第１転送電極８Ａ及び第３転送電極８Ｃ間に第２層の多結晶シリコン層からなる第４転送電極８Ｄが形成され、他方の１つ置きの第１層の多結晶シリコン層からなる電極間、即ち第１転送電極８Ａ及び第３転送電極８Ｃ間に第３層の多結晶シリコン層からなる第２転送電極８Ｄが形成されている。
また、垂直方向（図１の上下方向）に隣り合う受光部２間では、図１及び図２Ｃに示すように、第１層の多結晶シリコン層から成る２つの転送電極、即ち第１転送電極８Ａ及び第３転送電極８Ｃが間隙を置いて互いに並列するようにして形成され、この並列する２つの転送電極８Ａ及び８Ｃ上に跨るように、第４転送電極８Ｄ及び第２転送電極８Ｄが重ねられて形成されている。
【００２６】
第１転送電極８Ａには第１相の垂直駆動パルスφＶ１が印加され、第２転送電極８Ｂには第２相の垂直転送パルスφＶ２が印加され、第３転送電極８Ｃには第３相の垂直駆動パルスφＶ３が印加され、第４転送電極８Ｄには第４相の垂直転送パルスφＶ４が印加される。これにより、垂直転送レジスタにおいて、４相駆動による信号電荷の転送を行うことができる。
また、第２転送電極８Ｂにおいては、その垂直駆動パルスφＶ２が読み出しパルス（読み出し電圧のパルス）を含むことにより、受光部２に蓄積された信号電荷が読み出される。
そして、１画素に４つの転送電極８Ａ，８Ｂ，８Ｃ，８Ｄが設けられているため、４相駆動によって全画素読み出しを行うことができる。
【００２７】
本実施の形態の固体撮像素子１においては、特に、読み出し電圧が印加される第２転送電極８Ｂについて、信号電荷の読み出される右の受光部２側と反対側とが異なっている。即ち、左右非対称の形状となっている。具体的には、第２転送電極８Ｂの図１中上側の端縁が右上がりの斜めに形成され、信号電荷の転送方向（図１中上下方向）に対して斜めになっている。
また、垂直転送レジスタにおいて、第２転送電極８Ｂと端部が互いにオーバーラップする第１転送電極８Ａ及び第３転送電極８Ｃも、このオーバーラップ部が左右非対称の形状になっている。即ち、第１転送電極８Ａは、その第２転送電極８Ｂとオーバーラップする側の端縁が第２転送電極８Ｂの端縁と平行になっている。また、第３転送電極８Ｃは、その図１中上側の端縁が右下がりの斜めに形成され、信号電荷の転送方向（図１中上下方向）に対して斜めになっている。
【００２８】
ここで、本実施の形態の固体撮像素子１の各転送電極８Ａ，８Ｂ，８Ｃ，８Ｄの信号電荷の転送に寄与する実効的領域の平面図を図３に示す。図３中４は、単位画素を示している。
図１に示したパターンに各転送電極８Ａ，８Ｂ，８Ｃ，８Ｄが形成されていることにより、図３に示すように、第２転送電極８Ｂの実効的領域は、受光部から信号電荷ｅ−が読み出される側の幅Ｌ１が広く、反対側の幅Ｌ２が狭い台形となっている。
また、隣接する第１転送電極８Ａや第３転送電極８Ｃとの境界は、いずれも垂直転送レジスタの信号電荷の転送方向（図３中上下方向）に対して斜めになっている。
これにより、図６〜図８に示したＣＣＤ固体撮像素子２１と比較して、信号電荷が読み出される領域の開口幅を広くすることができ、読み出し電圧を低下させることができる。
【００２９】
また、各転送電極８Ａ，８Ｂ，８Ｃ，８Ｄの実効的領域の面積が、ほぼ同等となっており、取り扱い電荷量は、図６〜図８に示したＣＣＤ固体撮像素子２１と比較しても同等量を確保することができる。
これに対して、例えば、実効的領域を矩形状としたままで、信号電荷が読み出される側の幅を広げてしまうと、その分他の転送電極の幅が狭くなり面積も小さくなることから、取り扱い電荷量が低下する。
【００３０】
上述した各転送電極の実効的領域は、転送電極が上下に重なっているオーバーラップ部ではゲート絶縁膜７の直上にある下層側の転送電極の実効的領域となる。このため、オーバーラップ部において上層側の転送電極の端縁がどの位置にあっても、実効的領域の寸法や形状は変わらない。
従って、図１において、第２転送電極８Ｂの上側の端縁は、必ずしも第１転送電極８Ａの下側の端縁に平行にする必要はなく、例えば転送方向に略垂直な方向（図１中左右方向）にしても、第２転送電極８Ｂの実効的領域の寸法や形状は変わらない。
図１のように、第２の転送電極８Ｂの上側の端縁を第１転送電極８Ａの下側の端縁と平行にした場合は、オーバーラップ部を小さくすることができるため、転送電極の上に形成される遮光膜の上面が高くなる部分を低減して、光が入射することができる範囲を広くすることができる利点を有する。
【００３１】
本実施の形態では、信号電荷ｅ−が読み出される側の幅Ｌ１が広い形状に形成されていることにより、画素の微細化が進んで転送電極の面積が縮小されても、信号電荷が読み出される領域の開口幅をある程度広く確保することができる。
従って、画素の微細化によって開口幅が狭くなることに起因する、読み出し電圧の上昇を抑制することができる。
【００３２】
なお、第２転送電極８Ｂの実効的領域の形状は、図３に示した台形状に限定されるものではない。図４Ａ〜図４Ｄに転送電極の実効的領域の形状を変えた形態を示す。なお、図４Ａは、比較対照として、図３に示した台形状の実効的領域を示している。
図４Ｂは、一方の（図中上側の）境界を転送方向に略垂直にした、台形状の実効的領域を示している。
図４Ｃは、三角形状の実効的領域を示している。
図４Ｄは、幅に段差を有する形状（Ｔ字形状）の実効的領域を示している。
図４Ｂ〜図４Ｄに示す各形状は、いずれも信号電荷が読み出される側の幅が反対側の幅より広くなっており、図４Ａに示す台形状と同様に、読み出し電圧を低下させることができる。
【００３３】
上述の本実施の形態の固体撮像素子１によれば、信号電荷が読み出される第２転送電極８Ｂにおいて、その信号電荷の転送に寄与する実効的領域が、信号電荷の読み出し側の幅Ｌ１がその反対側の幅Ｌ２よりも広く形成されていることにより、信号電荷が読み出される領域の開口幅を広く確保することができ、信号電荷の読み出しが容易になるため、読み出し電圧を低減しても充分に受光部２から信号電荷を読み出すことが可能になる。
【００３４】
そして、第２転送電極８Ｂの信号電荷の転送に寄与する実効的領域の面積は、図８に示した場合とほぼ同等であり、実効的領域の面積をあまり増やさなくても、開口幅を広く確保することができる。これにより、開口幅を広く確保する目的で、第１転送電極８Ａや第３転送電極８Ｃ等、他の転送電極の実効的領域の面積を縮小する必要がない。
【００３５】
このように、読み出し電圧を低減することができるため、消費電力も低減することができる。
また、画素の微細化が進むことによる読み出し電圧の増大を、抑制することが可能になる。
【００３６】
また、本実施の形態の構造は、図６〜図８に示したＣＣＤ固体撮像素子２１の製造工程と同様の工程で製造することができるものであり、４つの転送電極のうち、第１転送電極８Ａ・第２転送電極８Ｂ・第３転送電極８Ｃの３つの転送電極のパターンを部分的に（垂直転送レジスタの部分）変更するだけですむ。
従って、構造を変更したことによる製造コストの増加はほとんどない。
【００３７】
なお、上述の実施の形態では、第２転送電極８Ｂと第１転送電極８Ａ及び第３転送電極８Ｃとの各実効的領域の境界が、転送方向に対して斜めになって（斜交して）おり、第４転送電極８Ｄと、第１転送電極８Ａ及び第３転送電極８Ｃとの各実効的領域の境界は、転送方向に対して略垂直になっていた。
これに対して、図５に示すように、さらに、第４転送電極８Ｄと、第１転送電極８Ａ及び第３転送電極８Ｃとの各実効的領域の境界も、同様に転送方向に対して斜交した構成とすることも可能である。
この構成は、第１転送電極８Ａ・第３転送電極８Ｃ・第４転送電極８Ｄの各パターンを図１に示したパターンから変更することにより、形成することが可能である。
【００３８】
このように構成することにより、各転送電極８Ａ，８Ｂ，８Ｃ，８Ｄの実効的領域の境界がいずれも転送方向に対して斜めになるため、転送方向に対して略垂直になっている場合と比較して、信号電荷の転送がなされる間口が広がることになる。転送電界即ち転送電極の電位差が同じである場合で比較すると、間口が広がることにより、より信号電荷の転送が容易になり、転送効率を向上することが可能になる。
【００３９】
この効果は、実効的領域が図４Ａに示した台形状である場合の他にも、図４Ｃに示した三角形状や、図４Ｄに示した段差を有する形状（Ｔ字形状）の場合でも、実現することが可能である。
即ち、転送電極の実効的領域の境界が転送方向に対して斜めに形成されている構成に限らず、転送電極の実効的領域の転送方向に垂直な方向（図１の左右方向）の幅よりも境界の長さが長ければ、信号電荷の転送がなされる間口が広がるため、同様の効果を得ることが可能である。
【００４０】
上述の実施の形態では、マトリクス状に受光部が形成されたＣＣＤ固体撮像素子に本発明を適用したが、その他の構成の固体撮像素子にも本発明を適用することができる。
例えば、ＣＣＤ構造以外の電荷転送部を有する固体撮像素子にも適用することができる。
また例えば、ライン状に受光部が形成された固体撮像素子の転送レジスタにも適用することが可能である。
【００４１】
また、上述の図５に示した形態の固体撮像素子の垂直転送レジスタの構成を応用して、隣接する転送電極の実効的領域の境界の向きを転送方向に対して斜めに形成することにより、電荷の転送効率を向上させることが可能な電荷転送素子を構成することができる。
これにより、電荷転送素子の微細化が進むことにより転送電極の実効的領域が細長くなって電荷の転送効率が低下することを、抑制することが可能になる。
従って、素子の微細化と高い転送効率とを共に実現することが可能になる。
【００４２】
なお、図５では隣接する転送電極の実効的領域の境界の向きが１つ置きに交互に右上がりと右下がりになっている。
これに対して、信号電荷の読み出しが行われない電荷転送素子（例えば、固体撮像素子の水平転送部や遅延素子等）に適用する場合には、必ずしも実効的領域の両側を非対称にして一方の側の開口を広げなくてもよい。このため、実効的領域の境界の向きを全て同じ向き（即ち略平行）にすることも可能であり、その場合も転送効率を向上させることが可能である。
【００４３】
さらに、本発明の電荷転送素子の構成や本発明の固体撮像素子の構成は、図１に示した３層の多結晶シリコン層で４相駆動するものに限定されるものではなく、その他の構成にも同様に適用することができる。
例えば、転送電極が多結晶シリコン層以外の材料である構成や、転送電極が多結晶シリコンと他の材料との積層やシリサイド層である構成にも適用することができる。
また、２層の電極層により転送電極が構成されている場合や、駆動が２相駆動や３相駆動である場合にも適用することができる。
即ち、図１の全画素読み出しが可能な構成に限らず、フレーム読み出しやフィールド読み出しが行われる固体撮像素子の垂直転送部にも同様に適用することが可能である。
【００４４】
本発明は、上述の実施の形態に限定されるものではなく、本発明の要旨を逸脱しない範囲でその他様々な構成が取り得る。
【図面の簡単な説明】
【００４５】
【図１】本発明の一実施の形態の固体撮像素子の概略構成図（要部の平面図）である。
【図２】Ａ  図１のＡ−Ａにおける断面図である。            Ｂ  図１のＢ−Ｂにおける断面図である。            Ｃ  図１のＣ−Ｃにおける断面図である。
【図３】図１の垂直転送レジスタの各転送電極の実効的領域を示す平面図である。
【図４】Ａ〜Ｄ  転送電極の実効的領域の形状の形態を示す図である。
【図５】隣接する転送電極の実効的領域の境界を転送方向に対して斜めに形成した形態を示す平面図である。
【図６】４相駆動の３層の転送電極を有するＣＣＤ固体撮像素子の概略構成図（要部の平面図）である。
【図７】Ａ  図６のＡ−Ａにおける断面図である。            Ｂ  図６のＢ−Ｂにおける断面図である。
【図８】図６の垂直転送レジスタの各転送電極の実効的領域を示す平面図である。
【符号の説明】
【００４６】
１  固体撮像素子、２  受光部、３  垂直転送チャネル、４  単位画素、７  ゲート絶縁膜、８Ａ，８Ｂ，８Ｃ，８Ｄ  転送電極、９  層間絶縁膜
【図１】
2005072471.tif 000003
【図２】
2005072471.tif 000004
【図３】
2005072471.tif 000005
【図４】
2005072471.tif 000006
【図５】
2005072471.tif 000007
【図６】
2005072471.tif 000008
【図７】
2005072471.tif 000009
【図８】
2005072471.tif 000010